(57)【特許請求の範囲】
【請求項１】
映像データ及びオーディオデータが圧縮されてトランスポートストリームで送られるディジタル放送を受信し、上記ディジタル放送の受信信号をデコードするディジタル放送の受信装置において、
受信信号をデコードしたディジタル信号の記録を行なうディジタル信号記録機器との間でデータをやり取りするディジタルインターフェースと、受信信号をデコードしたアナログ信号の記録を行なうアナログ信号記録機器との間で信号をやり取りするアナログインターフェースと、
記録に関するメッセージと、視聴を選択するボタンと、記録を選択するボタンとを含む予約設定画面を表示して所望の番組の記録または視聴を予約する予約設定手段と、
上記ディジタル放送の受信信号に含まれる著作権情報によって、予約が設定された番組に関してディジタルコピーの可否およびアナログコピーの可否を判断するコピー禁止判断手段と、
上記予約が設定された番組に関する上記コピー禁止判断手段の判断に対応する上記記録に関するメッセージを含む上記予約設定画面を表示する表示手段と
からなるディジタル放送の受信装置。
【請求項２】
映像データ及びオーディオデータが圧縮されてトランスポートストリームで送られるディジタル放送を受信し、上記ディジタル放送の受信信号をデコードするディジタル放送の受信装置において、
受信信号をデコードしたディジタル信号の記録を行なうディジタル信号記録機器との間でデータをやり取りするディジタルインターフェースと、受信信号をデコードしたアナログ信号の記録を行なうアナログ信号記録機器との間で信号をやり取りするアナログインターフェースと、
記録に関するメッセージと、視聴を選択するボタンと、記録を選択するボタンとを含む予約設定画面を表示して所望の番組の記録または視聴を予約する予約設定手段と、
上記ディジタル放送の受信信号に含まれる著作権情報によって、予約が設定された番組に関してディジタルコピーの可否およびアナログコピーの可否を判断するコピー禁止判断手段と、
上記予約が設定された番組に関する上記コピー禁止判断手段の判断に対応する上記記録に関するメッセージを含む上記予約設定画面を表示する表示手段と、
上記ディジタルインターフェースに接続されたディジタル信号記録機器によって記録を予約した場合に、上記ディジタル信号記録機器の状態を上記ディジタルインターフェースを通じて取得し、記録予約実行時に、上記ディジタル信号記録機器が記録実行可能かどうかを判断し、上記記録が実行できない場合には、記録実行を中止すると共に、記録が実行できないことを知らせる予約実行制御手段と
を備えるディジタル放送の受信装置。
【請求項３】
上記予約実行制御手段は、記録予約を実行するディジタル信号記録機器が動作中には、記録が実行できないと判断するようにした請求項２に記載のディジタル放送の受信装置。
【請求項４】
上記予約実行制御手段は、上記ディジタル信号記録機器に装着されている記録媒体が記録禁止の状態になっているときには、記録が実行できないと判断するようにした請求項２に記載のディジタル放送の受信装置。
【請求項５】
上記予約実行制御手段は、上記ディジタル放送受信機器の出力信号が記録されているときには、記録が実行できないと判断するようにした請求項２に記載のディジタル放送の受信装置。
【発明の詳細な説明】
【技術分野】
【０００１】
この発明は、例えば、映像データ及びオーディオデータがＭＰＥＧ（Moving Picture Experts Group）２方式のトランスポートストリームで放送される信号を受信し、このトランスポートストリームをＩＥＥＥ（Institute of Electrical Electronic Engineers）１３９４のインターフェースを介してディジタル信号処理機器に送るようにしたディジタル放送の受信装置に関する。
【背景技術】
【０００２】
近年、ディジタルビデオ機器やディジタルオーディオ機器間でビデオデータやオーディオデータを高速で転送するためのインターフェースとして、ＩＥＥＥ１３９４が普及し始めている。ＩＥＥＥ１３９４は、Isochronous 転送モードと、Asynchronous転送モードとがサポートされている。Isochronous 転送モードは、ビデオデータやオーディオデータのような時間的に連続するデータストリームを高速転送するのに好適である。Asynchronous転送モードは、例えば、各種のコマンドを転送したりするのに好適である。
【０００３】
また、近年、ディジタル放送が普及し始めている。ディジタル放送では、ディジタル映像信号及びオーディオ信号がＭＰＥＧ２方式により圧縮され、複数の番組が多重化されて送信される。ディジタル放送を受信する際には、テレビジョン受像機にＩＲＤ（Integrated Receiver Decoder ）が接続される。ＩＲＤで所望のプログラムの信号が選択され、ビデオ信号及びオーディオ信号がデコードされる。このＩＲＤの出力がテレビジョン受像機に供給される。
【０００４】
このようなディジタル放送を受信するためのＩＲＤに、ＩＥＥＥ１３９４のインターフェースを設けることが提案されている。ＩＲＤにＩＥＥＥ１３９４のインターフェースを設けると、ＩＲＤとディジタルビデオ記録／再生装置とをＩＥＥＥ１３９４のインターフェースを介して接続し、ディジタル放送の受信システムが構築できる。
【０００５】
上述のように、ＩＲＤとディジタルビデオ記録／再生装置とをＩＥＥＥ１３９４のインターフェースを介して接続し、ディジタル放送の受信システムを構築すると、例えば、ＩＲＤで受信したデータをディジタルビデオ記録／再生装置に転送し、ディジタルビデオ記録／再生装置で記録することが簡単に行なえる。
【０００６】
また、ＩＥＥＥ１３９４では、ディジタルビデオデータやディジタルオーディオデータと共に、コマンドを転送することができる。このため、予約録画が簡単に設定できる。例えば、ＩＲＤ側で予約時間を設定し、予約時間になると、ディジタルビデオ記録／再生装置が録画モードに設定されるようにしておく。このようにすると、予約時間になると、ＩＲＤからのコマンドにより、ディジタルビデオ記録／再生装置が録画モードに設定されると共に、ＩＲＤからのデータがディジタルビデオ記録再生装置に送られる。これにより、予約時間になると、ＩＲＤの受信データがディジタルビデオ記録／再生装置で記録されるようになる。
【発明の開示】
【発明が解決しようとする課題】
【０００７】
ところで、ディジタル放送で送られてくる番組には、違法コピーにより著作権が侵害されないように、著作権情報が含められている。著作権情報は、トランスポートストリームのＰＭＴ（Program Map Table ）の中に、そのサービス（番組）に係わる著作権情報がコンテンツに付随する形で２つのデスクリプタ（ＤＭ＿ｃｏｐｙ＿ｃｏｎｔｒｏｌ＿ｄｅｓｃｒｉｐｔｏｒ）及び（ｄｉｇｉｔａｌ＿ｃｏｐｙ＿ｃｏｎｔｒｏｌ＿ｄｅｓｃｒｉｐｔｏｒ）として挿入されている。
【０００８】
ＤＭ＿ｃｏｐｙ＿ｃｏｎｔｒｏｌ＿ｄｅｓｃｒｉｐｔｏｒのスクリプトには、アナログビデオ出力に関する情報が入っている。また、ｄｉｇｉｔａｌ＿ｃｏｐｙ＿ｃｏｎｔｒｏｌ＿ｄｅｓｃｒｉｐｔｏｒのスクリプトには、ＣＧＭＳ（Copy Generation Management System ）またはＭ−ＣＧＭＳ（）の情報が入っており、ディジタルビデオ出力に関する情報が入っている。
【０００９】
したがって、ＩＲＤとディジタルビデオ記録／再生装置とをＩＥＥＥ１３９４のインターフェースを介して接続したディジタル放送の受信システムでは、予約録画を行なう場合に、ユーザーに対して、コピー禁止かどうかを知らせる必要がある。更に、ディジタル放送では、ディジタル録画が禁止の場合とアナログ録画が禁止の場合とがあるため、やはりユーザーに対して、ディジタル録画禁止なのかアナログ録画禁止なのかを知らせる必要がある。
【００１０】
また、予約録画実行時に、ＩＲＤ１の出力が他の機器で記録中であったり、ディジタルビデオ記録／再生装置が動作中であったり、テープ若しくはディスクが無いか又は記録禁止になっている状況が考えられる。このような状況のときに、予約が実行されてしまうと、録画テープの記録内容を壊してしまったり、機器が正しく動作しなくなる。このため、このような場合には、予約がキャンセルされると共に、予約がキャンセルされた原因をユーザに伝えることが望まれる。
【００１１】
したがって、この発明の目的は、予約録画時に、録画禁止の制御を行なえ、著作権を保護できるようにしたディジタル放送の受信装置を提供することにある。
【００１２】
この発明の他の目的は、予約が実行できないときに、予約がキャンセルされると共に、予約がキャンセルされた原因をユーザに伝えることができるディジタル放送の受信装置を提供することにある。
【課題を解決するための手段】
【００１３】
この発明は、映像データ及びオーディオデータが圧縮されてトランスポートストリームで送られるディジタル放送を受信し、ディジタル放送の受信信号をデコードするディジタル放送の受信装置において、
受信信号をデコードしたディジタル信号の記録を行なうディジタル信号記録機器との間でデータをやり取りするディジタルインターフェースと、受信信号をデコードしたアナログ信号の記録を行なうアナログ信号記録機器との間で信号をやり取りするアナログインターフェースと、
記録に関するメッセージと、視聴を選択するボタンと、記録を選択するボタンとを含む予約設定画面を表示して所望の番組の記録または視聴を予約する予約設定手段と、
ディジタル放送の受信信号に含まれる著作権情報によって、予約が設定された番組に関してディジタルコピーの可否およびアナログコピーの可否を判断するコピー禁止判断手段と、
予約が設定された番組に関するコピー禁止判断手段の判断に対応する記録に関するメッセージを含む予約設定画面を表示する表示手段と
からなるディジタル放送の受信装置である。
【００１４】
この発明は、映像データ及びオーディオデータが圧縮されてトランスポートストリームで送られるディジタル放送を受信し、ディジタル放送の受信信号をデコードするディジタル放送の受信装置において、
受信信号をデコードしたディジタル信号の記録を行なうディジタル信号記録機器との間でデータをやり取りするディジタルインターフェースと、受信信号をデコードしたアナログ信号の記録を行なうアナログ信号記録機器との間で信号をやり取りするアナログインターフェースと、
記録に関するメッセージと、視聴を選択するボタンと、記録を選択するボタンとを含む予約設定画面を表示して所望の番組の記録または視聴を予約する予約設定手段と、
ディジタル放送の受信信号に含まれる著作権情報によって、予約が設定された番組に関してディジタルコピーの可否およびアナログコピーの可否を判断するコピー禁止判断手段と、
予約が設定された番組に関するコピー禁止判断手段の判断に対応する記録に関するメッセージを含む予約設定画面を表示する表示手段と、
ディジタルインターフェースに接続されたディジタル信号記録機器によって記録を予約した場合に、ディジタル信号記録機器の状態をディジタルインターフェースを通じて取得し、記録予約実行時に、ディジタル信号記録機器が記録実行可能かどうかを判断し、記録が実行できない場合には、記録実行を中止すると共に、記録が実行できないことを知らせる予約実行制御手段と
を備えるディジタル放送の受信装置である。
【発明の効果】
【００１５】
この発明は、予約録画時に、ディジタル放送の受信信号に含まれる著作権情報によって、予約が設定された番組に関してディジタルコピーの可否およびアナログコピーの可否を判断し、予約が設定された番組に関するコピー禁止判断手段の判断に対応する記録に関するメッセージを含む予約設定画面を表示することによって、ユーザが記録機器による記録が可能か否かを容易に判断できる。
【００１６】
さらに、この発明は、ディジタルインターフェースを介してディジタル信号記録機器の状態を取得し、予約実行時に、記録が実行できない場合には、記録実行を中止すると共に、記録が実行できないことを知らせることによって、予約記録できないことをユーザに通知することができる。
【発明を実施するための最良の形態】
【００１７】
以下、この発明の実施の形態について図面を参照して説明する。第１図において、１はＩＲＤである。ＩＲＤ１は、ディジタル放送の受信信号をデコードし、例えばＮＴＳＣ方式のビデオ信号及びオーディオ信号を形成するものである。ＩＲＤ１のアンテナ端子は、ケーブル２を介して、パラボラアンテナ３に取り付けられている低雑音コンバータ４に接続される。衛星からの電波は、例えば、１２ＧＨｚ帯で送信されてくる。この衛星からの電波は、パラボラアンテナ３で受信され、パラボラアンテナ３に取り付けられた低雑音コンバータ４で、例えば、１ＧＨｚ帯の信号に変換される。
【００１８】
低雑音コンバータ４の出力がケーブル２を介してＩＲＤ１のアンテナ端子に供給される。ＩＲＤ１で、受信信号の中から所望の搬送波の信号が選択され、ＭＰＥＧ２のトランスポートストリームが復調される。このトランスポートストリームの中から、所望のプログラムの映像パケット及び音声パケットが抽出され、この映像パケット及び音声パケットのデコード処理が行なわれ、例えばＮＴＳＣ方式のビデオ信号及びオーディオ信号がデコードされる。
【００１９】
ＩＲＤ１からのビデオ信号及びオーディオ信号は、ケーブル５を介して、テレビジョン受像機６に供給される。テレビジョン受像機６により、所望のプログラムの受信画面が映出されるとともに、その音声が出力される。
【００２０】
ＩＲＤ１には、ＩＣカード７が装着される。このＩＣカード７にペイパービュー番組の課金情報が格納される。また、ＩＲＤ１は、ケーブル９を介して、電話回線分配器８に接続され、電話回線を介して、課金情報が送られる。
【００２１】
ＩＲＤ１の操作は、リモートコントローラ１１により行なわれる。また、赤外線発光部１０Ａ，Ｂを取り付けると、後述のように他の機器（例えばＶＴＲやＭＤ）を制御することができるようになる。
【００２２】
ＩＲＤ１の背面パネルには、第２図に示すように、ＩＥＥＥ１３９４の端子２１Ａ及び２１Ｂと、光ディジタル音声出力端子２２と、制御信号出力端子２３Ａ、２３Ｂと、アナログ音声出力端子２４Ａ〜２４Ｄと、ビデオ出力端子２５Ａ及び２５Ｂと、Ｓビデオ出力端子２６Ａ及び２６Ｂと、高速パラレルデータ出力端子２７とが設けられる。
【００２３】
ＩＥＥＥ１３９４の端子２１Ａ及び２１Ｂは、ＩＥＥＥ１３９４のインターフェースを使ってデータ転送を行なうためのものである。ＩＥＥＥ１３９４では、Isochronous 転送モードとAsynchronous転送モードとがサポートされている。Isochronous 転送モードではデータ転送の遅延時間が保証されており、このIsochronous 転送モードは、ビデオデータやオーディオデータのような時間的に連続するデータストリームを高速転送する際に用いられる。Asynchronous転送モードは、各種のコマンド等のデータの転送に用いられる。
光ディジタル音声出力端子２２は、ＩＥＣ９５８の光ケーブルを用いて、ディジタル音声信号を出力するものである。この光ディジタル音声出力端子２２は、ＩＥＣ９５８の光ケーブルを備えたディジタルオーデオ機器等を接続するのに用いられる。アナログ音声出力端子２４Ａ〜２４Ｄは、アナログ音声を出力するものである。ビデオ映出力端子２５Ａ及び２５ＢやＳビデオ出力端子２６Ａ及び２６Ｂは、復調されたビデオ信号を出力するものである。
【００２４】
第３図は、ＩＲＤ１の構成を示すものである。第１図に示したように、例えば１２ＧＨｚ帯の電波で衛星を介して送られてくるディジタル衛星放送の電波は、パラボラアンテナ３で受信され、パラボラアンテナ３に取り付けられた低雑音コンバータ４で、１ＧＨｚ帯の信号に変換される。この低雑音コンバータ４の出力がケーブル２を介してＩＲＤ１のアンテナ端子３１に供給される。アンテナ端子３１からの信号は、チューナ回路３２に供給される。
【００２５】
チューナ回路３２は、受信信号の中から所定の搬送波周波数の信号を選択する周波数選択回路と、ＱＰＳＫ（Quadrature Phase Shift Keying ）復調処理を行なう復調回路と、エラー訂正処理回路を備えている。チューナ回路３２で、制御用ＣＰＵ（Central Processing Unit ）３３からの設定信号に基づいて、受信信号の中から所望の搬送波周波数の信号が選択される。この受信信号がＱＰＳＫ（Quadrature Phase Shift Keying ）復調され、更に、誤り訂正処理が施される。
【００２６】
チューナ回路３２の出力は、デスクランブラ３４に供給される。デスクランブラ３４には、受信されたＥＣＭ（Entitlement Control Message ）データ及びＥＭＭ（Entitlement Management Message）データが供給されると共に、ＩＣカードスロット３６に装着されているＩＣカード７に記憶されているデスクランブル用の鍵データが供給される。デスクランブラ３４は、この受信されたＥＣＭデータ及びＥＭＭデータと、ＩＣカード７の鍵データを用いて、ＭＰＥＧトランスポートストリームのデスクランブルを行なう。デスクランブルされたＭＰＥＧ２のトランスポートストリームは、デマルチプレクサ３７に送られる。
【００２７】
デマルチプレクサ３７は、ＣＰＵ３３からの指令に基づいて、デスクランブラ３４からのストリームの中から、所望のパケットを分離するものである。伝送パケットには、ヘッダ部にパケット識別子（ＰＩＤ）が記述されている。デマルチプレクサ３７では、このＰＩＤに基づいて、所望のプログラムの映像パケット及び音声パケットが抽出される。この所望のプログラムの映像パケットは、ＭＰＥＧ２ビデオデコーダ３８に送られ、音声パケットは、ＭＰＥＧオーディオデコーダ３９に送られる。
【００２８】
ＭＰＥＧ２ビデオデコーダ３８は、デマルチプレクサ３７からの映像信号のパケットを受け取り、ＭＰＥＧ２方式のデコード処理を行なって、ビデオデータを形成する。このビデオデータは、ＮＴＳＣ変換回路４０に供給される。ＮＴＳＣ変換回路４０で、ＭＰＥＧビデオデコーダ３８でデコードされたビデオデータがＮＴＳＣ方式のビデオ信号に変換される。
【００２９】
また、ＮＴＳＣ変換回路４０に対して、表示制御回路５１及びコピー禁止制御回路５２からの出力信号が供給される。表示制御回路５１は、画面上に種々の表示画面を発生させるものである。コピー禁止制御回路５２は、映像の著作権を保護するために、必要に応じてコピー禁止制御信号を発生するものである。
【００３０】
ＮＴＳＣ変換回路４０の出力がアナログビデオ出力端子２５及びＳビデオ出力端子２６に供給される。アナログビデオ出力端子２５からＮＴＳＣ方式のアナログコンポジットビデオ信号が出力され、Ｓビデオ出力端子２６から、Ｓビデオ信号（コンポーネントビデオ信号）が出力される。
【００３１】
ＭＰＥＧオーディオデコーダ３９は、デマルチプレクサ３７からの音声パケットを受け取り、ＭＰＥＧ方式の音声デコード処理を行なって、データ圧縮前のオーディオデータを形成する。デコードされたオーディオデータは、ＩＥＣ９５８インターフェース回路５５を介して、ディジタルオーディオ出力端子２２から出力されると共に、Ｄ／Ａコンバータ５３でアナログオーディオ信号に変換された後、アナログオーディオ出力端子２４に供給される。
【００３２】
ＩＲＤ１に対する入力は、入力部４６から与えられる。入力部４６としては、リモートコントローラ１１の受光部や操作パネルが用意されている。また、モデム４５が設けられ、モデム４５により、課金情報が電話回線を介して送られる。さらに赤外線発光部１０がＣＰＵ３３に接続されている。
【００３３】
受信信号の搬送波周波数の選択は、視聴者がリモートコントローラ１１を用いて入力したチャンネル選択信号に基づいて行なわれる。所望のプログラムを選局する時には、ＮＩＴ（Network Information Table ）を参照することにより、チューナ回路３２の受信周波数が所定の搬送波周波数に設定される。そして、その搬送波周波数でのチャンネルに関する情報を含むＰＡＴ（Program Association Table ）を参照することにより、所望のチャンネルに関する情報を含むＰＭＴ（Program Map Table ）のＰＩＤを取得することができる。次にこうして取得されたＰＩＤを有するパケットを抽出することにより、所望のチャンネルの映像、音声、付加データのパケットのＰＩＤを取得することができる。
【００３４】
また、ＩＲＤ１には、ＩＥＥＥ１３９４のインターフェース４４が設けられている。デマルチプレクサ３７とＩＥＥＥ１３９４のインターフェース４４との間は、トランスポートストリームを入／出力することができる。またＭＰＥＧオーディオデコーダ３９の出力がＩＥＥＥ１３９４インターフェイスに接続されており、ＰＣＭオーディオデータを外部機器に出力することできる。
【００３５】
更に、ＩＲＤ１には、高速パラレルデータインターフェース５６が設けられている。この高速パラレルデータインターフェース５６を介して、トランスポートストリームを入／出力することや、ＰＣＭオーディオデータを出力することができる。
【００３６】
上述のように、この発明が適用されたＩＲＤ１には、ＩＥＥＥ１３９４のインターフェース４４が設けられている。このＩＥＥＥ１３９４のインターフェース４４を使って、第４図に示すように、ＩＲＤ１に、ディジタル記録可能な他のディジタル機器１５Ａ、１５Ｂ、１５Ｃ、…、例えばディジタルビデオ記録／再生装置やＭＤ（ミニディスク）記録／再生装置等が接続される。
【００３７】
ＩＥＥＥ１３９４の規格では、ノードＩＤ番号が「０」から「６３」まで割り当て可能であり、そのうち、最後のノード番号「６３」はブロードキャスト接続用の機器に割り当てられるノード番号とされている。ノードＩＤ番号の割り当ては、ＩＥＥＥ１３９４のバスに機器を接続したときに自動的に割り振られる。ＩＲＤ１では、バスを介して接続された機器の内、５台までの情報を登録できるようになっている。ＩＲＤ１では、登録された機器のノード番号と機器に関連した情報（機器の種別、製造メーカー名、モデル名、ケーブルが抜かれているか否かの状態等）をＣＰＵ３３に接続された不揮発メモリ（図示せず）に記憶する。
【００３８】
登録されている機器の変更は、第５図に示すようなコントロールパネルを表示し、設定ボタン６６を押して、設定変更の画面に移行することにより行なえる。コントロールパネルには、機器選択表示部６１と、ファンクションボタン表示部６２と、状態表示部６３と、電源ボタン６４と、録画ボタン６５と、設定ボタン６６と、ＩＥＥＥ１３９４入力切り換えボタン６７（ＩＥＥＥ１３９４はｉ．ＬＩＮＣと表示されている）と、スマートファイル実行ボタン６８とが設けられる。ここでスマートファイルとは、デジタルＶＴＲに装着されるテープカセットに設けられたメモリに、テープ上の記録内容に係わる情報を記憶できるようにした機能の名称である。機器選択表示部６１には、登録されていた機器名（最大５台）が示され、ＩＥＥＥ１３９４入力切り換えボタン６７を押すことにより、登録された機器の中から、所望の機器を選択することができる。
【００３９】
コントロールパネルの設定ボタン６６が押されると、第６図に示すような設定変更の画面が表示される。
【００４０】
第６図Ａに示すように、設定変更の画面には、登録機器表示部７１、接続機器表示部７２、決定ボタン７３、リターンボタン７４が表示される。なお、接続機器表示部７２では、左欄に機器の種別が表示され、中央欄に製造メーカー名が表示され、右欄に機器のモデル名が表示される。
【００４１】
登録機器表示部７１には、登録されている機器の名称が最大５台まで表示される。なお、これらの機器の中で、明るく表示されているのは、物理的にバスに接続されているものを意味する。登録されている機器のＩＥＥＥ１３９４インターフェイスケーブルをＩＲＤ１から外すと、登録名の表示が暗くなり、既に登録されている機器を再びＩＥＥＥ１３９４インターフェイスケーブルでＩＲＤ１に接続すると、登録名の表示が明るく表示される。
【００４２】
ＩＥＥＥ１３９４インターフェイスケーブルを介して接続される機器は、先着５台の機器が自動的に登録される。既に５台の機器が登録済の場合には、６台目の機器を接続したとしても登録は行われない。
【００４３】
ＩＥＥＥ１３９４インターフェイスケーブルを介して接続された機器が登録されると、登録された機器に対応するチェック欄７２Ａにチェックマークが付加される。このチェックマークが付けられている機器を変更することにより、ＩＲＤ１に登録されている機器の変更を行うことができる。なお、予約録画が設定されている機器や実際に信号の伝送が行われている機器のチェックマークは、変更できないようにされている。つまり、予約録画が設定されている機器や実際に信号の伝送を行っている機器の登録内容を変更してしまうと、予約録画が行なえなくなったり、データが正常に伝送できなくなるような不具合が発生するためである。
【００４４】
なお、第６図Ｂに示すように、予約録画の設定が行われている機器には、例えば時計の形の予約マーク７５が表示される。この予約マーク７５が表示されている機器では、チェック欄７２Ａのチェックマークを外すことはできない。
【００４５】
第７図は、登録されている機器を変更する場合の処理を示すもので、例えば、Ｄ−ＶＨＳ２の機器を、ＭＤ３の機器に変更する場合を示している。第７図Ａに示すように、先ず、カーソルがＤ−ＶＨＳ２の機器の所に移動される。それから決定ボタン７３が押される。この位置で決定ボタン７３が押されると、第７図Ｂに示すように、Ｄ−ＶＨＳ２のチェックマークが外れる。それから、新規に登録したい機器の位置にカーソルが移動される。この位置で決定ボタン７３が押される。これにより、第７図Ｃに示すように、ＭＤ３の所にチェックマークが付加される。このように、チェックマークを変更し、決定ボタン７３及びリターンボタン７４を押して設定画面を終了させると、新たにチェックマークを付加した機器が登録される。
【００４６】
第８図は、上述のような処理を行なうためのフローチャートである。第８図は、機器の自動登録処理を示すものである。第８図Ａに示すように、機器が接続されたときには、接続された機器の台数が６４台以上かどうかが判断される（ステップＳ１）。接続された機器の台数が６４台以上である場合にはバスエラー（ステップＳ２）となり、エラー処理を行って、処理は終了する。一方、ステップＳ１で、バス（ＩＥＥＥ１３９４デジタルインターフェイス）に接続された機器の台数が６４台以上でなければ、登録された機器は５台未満か否かが判断される（ステップＳ３）。登録された機器の台数が５台未満でなければ、ノードのＩＤ番号と機器名とを登録せずに（ステップＳ３）、処理が終了される。
【００４７】
ステップＳ３で、バスに接続された機器の台数が５台未満なら、バスに接続された機器のノードのユニークＩＤ番号がチェックされる（ステップＳ５）。既に登録されている機器に、そのＩＤ番号のものがあるか否かが判断される（ステップＳ６）。
【００４８】
接続された機器のＩＤ番号と同じＩＤ番号のものが既に登録されていなければ、ＩＤ番号と機器名が新たに登録され（ステップＳ７）、その機器名が明るく表示される（ステップＳ８）。
【００４９】
接続された機器のＩＤ番号と同様のＩＤ番号のものが既に登録されている機器の中にあれば、その登録済の機器名を割り当てられ（ステップＳ９）、その機器名が明るく表示される（ステップＳ８）。
【００５０】
第８図Ｂに示すように、接続された機器が抜かれたら、機器名が暗く表示される（ステップＳ１０）。
【００５１】
第９図は、登録されている機器を変更するときの処理を示すフローチャートである。第９図において、機器を選択して決定ボタン７３が押されると（ステップＳ２１）、それまでチェックマークが付いているか否かが判断される（ステップＳ２２）。
【００５２】
それまでチェックマークが付いていなかったら、チェックマークが５台に付いているか否かが判断され（ステップＳ２３）、チェックマークが５台に付いていなければ、その機器にチェックマークが付けられる（ステップＳ２４）。そして設定画面が終了か否かが判断され（ステップＳ２５）、設定画面が終了していなければ、ステップＳ２１に戻る。
【００５３】
ステップＳ２３で、チェックマークが５台に付いていると判断されたら、チェックマークの変更は行なわずに、ステップＳ２５に移行し、設定画面が終了か否かが判断され、設定画面が終了していなければ、ステップＳ２１に戻る。
【００５４】
ステップＳ２２で、それまでチェックマークが付いていると判断されたら、番組予約されている機器か否かが判断される（ステップＳ２６）。番組予約されている機器では登録を外せないので、予約された機器であれば、チェックマークの変更は行なわずに、ステップＳ２５に移行し、設定画面が終了か否かが判断され、設定画面が終了していなければ、ステップＳ２１に戻る。
【００５５】
ステップＳ２６で、予約された機器でないと判断されたら、コネクションが張られている機器（実際に信号が送受信されている機器）か否かが判断される（ステップＳ２７）。コネクションが張られている機器では登録を外せないので、コネクションが張られている機器であれば、チェックマークの変更は行なわずに、ステップＳ２５に移行し、設定画面が終了か否かが判断され、設定画面が終了したいなければ、ステップＳ２１に戻る。
【００５６】
ステップＳ２７で、コネクションが張られている機器でなければ、チェックマークが外される（ステップＳ２８）。そして、ステップＳ２５に移行し、設定画面が終了か否かが判断され、設定画面が終了していなければ、ステップＳ２１に戻る。
【００５７】
ステップＳ２５で、リターンボタン７４が押されると、設定画面が終了し、変更内容をＣＰＵ３３に接続された不揮発性メモリ（図示せず）に書き込み（ステップＳ２９）、コントロールパネルに戻る。
【００５８】
次に、このような衛星放送の受信システムで予約録画を行なうときの操作について説明する。
【００５９】
ＩＲＤ１で受信した番組（ＴＶ番組と音声のみのラジオ番組）を含むを記録させる際には、アナログ音声出力端子２４Ａ〜２４Ｄやビデオ出力端子２５Ａ及び２５Ｂに接続されたアナログビデオテープ記録／再生装置やＭＤ記録／再生装置を使って、受信番組をアナログ記録させる場合と、ＩＥＥＥ１３９４の端子２１Ａ及び２１Ｂに接続されたディジタルビデオテープ記録／再生装置やＭＤ記録／再生装置を使って、受信番組をディジタル記録させる場合と、さらにディジタルオーディオ出力端子２２に接続されたＭＤ記録／再生装置を使って、受信番組をディジタル記録させる場合とが考えられる。ディジタル記録の場合には、ＩＥＥＥ１３９４を使って相手先の機器を指定して、予約記録を行うことができる。アナログ記録を行なう場合には、赤外線発光部１０Ａ( ビデオマウス（Video Mouse ）と呼ぶ）や赤外線発光部１０Ｂ（ＭＤマウス(MD Mouse)と呼ぶ）を使って予約記録動作の制御を行うことができる。
【００６０】
ディジタル衛星放送で送られてくる番組には、違法コピーにより著作権が侵害されないように、著作権情報が含められている。著作権情報は、トランスポートストリームのＰＭＴ（Program Map Table ）の中に、そのサービスに係わる著作権情報がコンテンツに付随する形で２つのデスクリプタ（ＤＭ＿ｃｏｐｙ＿ｃｏｎｔｒｏｌ＿ｄｅｓｃｒｉｐｔｏｒ）及び（ｄｉｇｉｔａｌ＿ｃｏｐｙ＿ｃｏｎｔｒｏｌ＿ｄｅｓｃｒｉｐｔｏｒ）として挿入されている。
【００６１】
ＤＭ＿ｃｏｐｙ＿ｃｏｎｔｒｏｌ＿ｄｅｓｃｒｉｐｔｏｒというデスクリプタには、アナログビデオ出力に関する情報が入っており、アナログコピーガードのトリガ情報が入っている。また、ペイ・パー・テープの情報も入っており、ペイ・パーテープが指定されたコンテンツで、ユーザがテープ記録をする場合には、申告をして追加料金を払うことにより、アナログコピーガードが外される。申告をしない場合には、アナログコピーガードはかかったままとなる。
【００６２】
ｄｉｇｉｔａｌ＿ｃｏｐｙ＿ｃｏｎｔｒｏｌ＿ｄｅｓｃｒｉｐｔｏｒというデスクリプタには、ＣＧＭＳまたはＭ−ＣＧＭＳの情報が入っており、その情報に応じて、ディジタル出力の制御が行なわれる。
【００６３】
ＣＧＭＳ及びＭ−ＣＧＭＳは、２ビットで表される著作権情報で、２ビットの意味は以下のようになる。
「００」はＣＧＭＳ、Ｍ−ＣＧＭＳともにコピー可能である（Copy-freely ）。
「０１」はＣＧＭＳでは使用されない。Ｍ−ＣＧＭＳでは、それ以上コピーできない(No-more-copies)。
「１０」はコピーは一度である(Copy once) 。Ｍ−ＣＧＭＳでは、１世代のみコピー許可である(Copy-one-generation) 。
「１１」はコピー禁止である(Copy-Never)。
【００６４】
第１０図は、記録設定を行なうときの処理を示すフローチャートである。第１０図に示すように、ＤＭ＿ｃｏｐｙ＿ｃｏｎｔｒｏｌ＿ｄｅｓｃｒｉｐｔｏｒというデスクリプタから、アナログコピー禁止か否かが判断される（ステップＳ５１）。
【００６５】
アナログコピー禁止でなければ、ＣＧＭＳが「１０」若しくは「００」、又は「０１」若しくは「１１」かが判断される（ステップＳ５２）。ＣＧＭＳが「１０」若しくは「００」であれば、ディジタルコピー可能である。
【００６６】
そして、第１１図Ａに示すように、番組の視聴、録画／録音を設定するための画面が表示される（ステップＳ５３）。このときには、ステップＳ５１でアナログコピーが許可と判断され、ステップＳ５２でディジタルコピーが許可と判断されているので、アナログコピーもディジタルコピーも許可されているので、「自動的に録画が開始する」旨の表示９３Ａが表示される。
【００６７】
ここで、視聴ボタン９１が押されると（ステップＳ５４）、設定された番組の視聴処理が行なわれる（ステップＳ５５）。
【００６８】
録画／録音ボタン９２が押されると（ステップＳ５６）、ＩＥＥＥ１３９４接続があるか否かが判断される（ステップＳ５７）（尚、図中のｉ−ＬＩＮＫとは、ＩＥＥＥ１３９４のことである）。ＩＥＥＥ１３９４の接続があれば、ＭＤマウスが接続されているか否かが判断される（ステップＳ５８）。ＭＤマウスが接続されていれば、第１２図Ａに示すように、ビデオマウスと、ＭＤマウスと、ＩＥＥＥ１３９４との選択画面が表示される（ステップＳ５９）。ＭＤマウスが接続されていなければ、第１２図Ｃに示すように、ビデオマウスと、ＩＥＥＥ１３９４との選択画面が表示される（ステップＳ６２）。
【００６９】
ステップＳ５７で、ＩＥＥＥ１３９４の接続がなければ、ＭＤマウスが接続されているか否かが判断される（ステップＳ６０）。ＭＤマウスが接続されていなければ、ビデオマウスでアナログビデオ予約録画処理が行なわれる（ステップＳ６１）。ステップＳ６０でＭＤマウスが接続されていれば、第１２図Ｂに示すように、ビデオマウスとＭＤマウスとの選択画面が表示される（ステップＳ８２）。
【００７０】
ステップＳ５９の選択画面（第１２図Ａ）において、ユーザは、ＩＥＥＥ１３９４（表示１０１）と、ビデオマウス（表示１０２）と、ＭＤマウス（表示１０３）との選択を行なう。また、ステップＳ６２の選択画面（第１２図Ｃ）において、ユーザは、ビデオマウス（表示１０２）とＩＥＥＥ１３９４（表示１０１）との選択を行なう。さらに、ステップＳ８２の選択画面（第１２図Ｂ）において、ユーザは、ビデオマウス（表示１０２）とＭＤマウス（表示１０３）との選択を行なう。
【００７１】
そして、ビデオマウスが選択されたか否かが判断される（ステップＳ６３）。ビデオマウスが選択されたら、ステップＳ６１に移行し、ビデオマウスでアナログビデオ予約録画処理が行なわれる。
【００７２】
ステップＳ６３で、ビデオマウスが選択されていなければ、ＭＤマウスが選択されたか否かが判断される（ステップＳ６４）。ＭＤマウスが選択されていれば、ＭＤマウスで、予約録音処理が行なわれる（ステップＳ６５）。
【００７３】
ステップＳ６４で、ＭＤマウスが選択されていなければ、ＩＥＥＥ１３９４の機器接続が行なわれているか否かが判断され（ステップＳ６６）、ＩＥＥＥ１３９４の機器設定が行なわれていれば、ＩＥＥＥ１３９４でのディジタル予約記録処理が行なわれる（ステップＳ６７）。ＩＥＥＥ１３９４の接続が行なわれていなければ、ＩＥＥＥ１３９４接続された機器が無い旨の表示が行なわれる（ステップＳ８１）。
【００７４】
ステップＳ５１で、ＤＭ＿ｃｏｐｙ＿ｃｏｎｔｒｏｌ＿ｄｅｓｃｒｉｐｔｏｒのデスクリプタから、アナログコピー禁止ではなく、ステップＳ５２でＣＧＭＳが「０１」若しくは「１１」であると判断されたときには、アナログでの録画は許可されるが、ディジタルでの録画は不許可である。この場合には、第１１図Ｂに示すように、番組の視聴、録画を設定するための画面が表示される（ステップＳ６８）。この表示には、第１１図Ｂに示すように、「ＩＥＥＥ１３９４ではコピーできない」旨の警告表示９３Ｂが含められる。
【００７５】
ここで、視聴ボタン９１が押されると（ステップＳ６９）、設定された番組の視聴処理が行なわれる（ステップＳ５５）。録画／録音ボタン９２が押されると（ステップＳ７０）、ステップＳ６０に移行し、ＭＤマウスが接続されているか否かが判断され、ＭＤマウスが接続されていなければ、ステップＳ６１で、ビデオマウスによりアナログビデオ予約録画処理が行なわれ、ＭＤマウスが接続されていれば、第１２図Ｂに示すように、ビデオマウスとＭＤマウスとの選択画面が表示される（ステップＳ８２）。
【００７６】
そして、ビデオマウスが選択されたか否かが判断され（ステップＳ６３）、ビデオマウスが選択されたら、ビデオマウスでアナログビデオ予約録画処理が行なわれ（ステップＳ６１）、ビデオマウスが選択されていなければ、ＭＤマウスが選択されたか否かが判断され（ステップＳ６４）、ＭＤマウスが選択されたら、ＭＤマウスで予約録音処理が行なわれる（ステップＳ６５）。
【００７７】
ステップＳ５１でアナログコピーが禁止とされているときには、料金を支払って録画が許可されるペイパーテープであるか否かが判断される（ステップＳ７１）。このときには、ＣＧＭＳが「１１」であるとみなし、ディジタルコピーは禁止とする。アナログコピーは、料金を支払えば、許可とする。そして、第１１図Ｃに示すように、番組の視聴、録画を設定するための画面が表示される（ステップＳ７２）。この表示には、第１１図Ｃに示すように、「別途料金がかかる」旨の記号や「ＩＥＥＥ１３９４ではコピーできない」旨の警告表示９３Ｃが含められる。
【００７８】
ここで、視聴ボタン９１が押されると（ステップＳ７３）、設定された番組の視聴処理が行なわれる（ステップＳ５５）。録画／録音ボタン９２が押されると（ステップＳ７４）、ステップＳ６０に移行し、ＭＤマウスが設定されているか否かが判断され、ＭＤマウスが設定されていなければ、ステップＳ６１で、ビデオマウスによりアナログビデオ予約録画処理が行なわれ、ＭＤマウスが設定されていれば、第１２図Ｂに示すように、ビデオマウスとＭＤマウスとの選択画面が表示される（ステップＳ６２）。
【００７９】
そして、ビデオマウスが選択されたか否かが判断され（ステップＳ６３）、ビデオマウスが選択されたら、ビデオマウスでアナログビデオ予約録画処理が行なわれ（ステップＳ６１）、ビデオマウスが選択されていなければ、ＭＤマウスが設定されたか否かが判断され（ステップＳ６４）、ＭＤマウスが選択されたら、ＭＤマウスでオーディオ予約録音処理が行なわれる（ステップＳ６５）。
【００８０】
ステップＳ５１でアナログコピーが禁止とされ、ステップＳ７１で、ペイテープではないと判断されたら、ＣＧＭＳが「１０」若しくは「００」、又は「０１」若しくは「１１」かが判断される（ステップＳ７５）。
【００８１】
ＣＧＭＳが「１０」若しくは「００」であれば、ディジタルコピー可能である。すなわち、このときには、アナログコピーは禁止されるが、ディジタルコピーは許可される。そして、第１１図Ｄに示すように、番組の視聴、録画を設定するための画面が表示される（ステップＳ７６）。この表示には、第１１図Ｄに示すように、「ビデオマウスでは録音できない」旨の警告表示９３Ｄが含められる。
【００８２】
ここで、視聴ボタン９１が押されると（ステップＳ７７）、設定された番組の視聴処理が行なわれる（ステップＳ５５）。録画／録音ボタン９２が押されると、第１２図Ｄに示すようなＩＥＥＥ１３９４の機器選択画面が表示される（ステップＳ７９）。ここで、ＩＥＥＥ１３９４の接続があるか否かが判断され（ステップＳ８０）、ＩＥＥＥ１３９４の接続があれば、ステップＳ６７に移行し、ＩＥＥＥ１３９４により予約記録処理が行なわれる。ＩＥＥＥ１３９４の接続がなければ、「ＩＥＥＥ１３９４の接続がない」旨の表示がなされる（ステップＳ８１）。
【００８３】
ステップＳ５１でアナログコピーが禁止とされ、ステップＳ７１で、ペイテープではないと判断され、ステップＳ７５で、ＣＧＭＳが「０１」若しくは「１１」であると判断されたときには、アナログコピーもディジタルコピーも不許可である。このときには、第１１図Ｅに示すように、「記録できない」旨の警告表示９３Ｅが表示される（ステップＳ８３）。ここで、視聴ボタン９１が押されると（ステップＳ８４）、設定された番組の視聴処理が行なわれる（ステップＳ５５）。
【００８４】
このように、この例では、予約記録時に、ＤＭ＿ｃｏｐｙ＿ｃｏｎｔｒｏｌ＿ｄｅｓｃｒｉｐｔｏｒの情報と、ＣＧＭＳ又はＭ−ＣＧＭＳの情報とから、アナログコピー禁止か否か、ディジタルコピー禁止か否かが判断され、アナログコピー禁止なら、ビデオマウスやＭＤマウスを使ってアナログ予約記録処理が選択できないようにされ、ディジタルコピー禁止なら、ＩＥＥＥ１３９４でのディジタル予約記録処理ができないようにされている。これにより、不正コピーが防止でき、著作権を守ることができる。
【００８５】
そして、予約実行時には、第１３図に示すような処理が行なわれ、予約録画が実行できるか否かが判断され、予約録画が実行できないときには、その旨の表示が行なわれる。
【００８６】
予約実行時に、ディジタル衛星放送が記録中であるか否かが判断される（ステップＳ９１）。ディジタル衛星放送が記録中なら、「ディジタル衛星放送が記録中のため、予約できない」旨のキャンセルメールが発行される（ステップＳ９２）。
【００８７】
ディジタル衛星放送が記録中でなければ、次に、ＭＤシンクロ記録中であるか否かが判断され（ステップＳ９３）、ＭＤシンクロ記録中なら、ステップＳ９２に移行し、「ディジタル衛星放送が記録中のため、予約をキャンセルする」旨のキャンセルメールが発行される。
【００８８】
ＭＤシンクロ記録中でなければ、予約相手以外のＩＥＥＥ１３９４の接続が切られる（ステップＳ９４）。このように、予約相手以外のＩＥＥＥ１３９４の接続を切断するのは、ＩＲＤ１が誤動作を起こさないようにするためである。
【００８９】
そして、ＩＥＥＥ１３９４で予約記録設定を行なっているか否かが判断される（ステップＳ９５）。ＩＥＥＥ１３９４で予約記録設定を行なっていれば、予約相手先との接続が行なわれる（ステップＳ９６）。
【００９０】
予約相手先と接続すると、予約相手先の状態がＩＥＥＥ１３９４のインターフェースを介して、送られてくる。そして、相手側の機器が例えばカセットが装着されていなかったり、カセットのツメが折れている等、記録禁止の状態になっているか否かが判断される（ステップＳ９７）。記録禁止の状態になっていたら、ＭＤ記録／再生装置が予約されているか否かが判断される（ステップＳ９８）。ＭＤ記録／再生装置が予約されていれば、「ディスクが記録禁止になっているか、ディスクが入っていないため、予約をキャンセルする」旨のキャンセルメールが発行される（ステップＳ９９）。ＭＤ記録／再生装置でなければ、ディジタルビデオテープ記録／再生装置であるとして、「テープのツメが折れているか、テープがが入っていないため、予約をキャンセルする」旨のキャンセルメールが発行される（ステップＳ１００）。
【００９１】
ステップＳ９７で、記録禁止の状態になっていなければ、電源オフ又は電源オンで停止中であるか否かが判断される（ステップＳ１０１）。電源オフ又は電源オンで停止中以外のときには、その機器は、再生中や早送り、巻き戻し中等であるため、「その機器は使用中のため、予約をキャンセルする」旨のキャンセルメールが発行される（ステップＳ１０２）。
【００９２】
ステップＳ１０１で、その機器が電源オフ又は電源オンで停止中であると判断されたら、ディジタルビデオテープ記録／再生装置にアナログテープが入っていたり、スマートファイルの録画禁止部分であり、ディジタル記録できない状態になっているか否かが判断される（ステップＳ１０３）。ディジタル記録できない状態なら、「ディジタルビデオテープ記録／再生装置が録画できない状態のため、予約をキャンセルする」旨のキャンセルメールが発行される（ステップＳ１０４）。録画できる状態なら、録画が実行される（ステップＳ１０５）。
【００９３】
以上のように、予約確認後、ＩＥＥＥ１３９４のインターフェースを介して、相手側の状態が送られてくる。これにより、他の機器で記録中のときや、ＭＤシンクロ記録を行なっているときや、実行時に、相手側機器が動作中になっていたり、テープ若しくはディスクが無いか又は記録禁止になっているときや、機器がアナログ記録になっているときや、スマートファイルの記録禁止部のときには、そのことを示す表示が行なわれるとともに、予約がキャンセルされる。尚、上述のメールは通常、放送局からユーザーにメッセージを伝えるために伝送されるものであるが、上述のように予約記録ができない場合にはキャンセルメールをＩＲＤ１は自分自身で生成して、ユーザーに知らせるようにしている。
【００９４】
この発明によれば、予約録画時に、ＤＭ＿ｃｏｐｙ＿ｃｏｎｔｒｏｌ＿ｄｅｓｃｒｉｐｔｉｏｎの情報と、ＣＧＭＳ又はＭ−ＣＧＭＳの情報とから、アナログコピー禁止か否か、ディジタルコピー禁止か否かを判断し、アナログコピー禁止なら、ビデオマウスを使ってアナログ予約録画処理が選択できないようにし、ディジタルコピー禁止なら、ＩＥＥＥ１３９４でのディジタル予約録画処理ができないようにしている。これにより、不正コピーが防止でき、著作権を守ることができる。
【００９５】
また、この発明によれば、予約実行時に、予約確認後、ＩＥＥＥ１３９４のインターフェースを介して、相手側の状態が送られてくる。これにより、ＩＲＤが他の機器で記録中のときや、ＭＤシンクロ記録を行なっているときや、実行時に、相手側機器が動作中になっていたり、テープ若しくはディスクが無いか又は記録禁止になっているときや、機器がアナログ記録になっているときや、スマートファイルの記録禁止部のときには、そのことを示す表示が行なわれるとともに、予約がキャンセルされる。
【００９６】
以上のように、この発明は、例えば、映像データ及びオーディオデータがＭＰＥＧ２方式のトランスポートストリームで放送される信号を受信し、このトランスポートストリームをＩＥＥＥ１３９４のインターフェースを介してディジタル信号処理機器に送るようにしたディジタル放送の受信システム、並びにこのようなシステムに用いられる受信装置に用いて好適である。
【図面の簡単な説明】
【００９７】
【図１】この発明が適用されたディジタル衛星放送の受信システムの一例の略線図である。
【図２】この発明が適用されたディジタル衛星放送の受信システムにおけるＩＲＤの背面パネルを示す背面図である。
【図３】この発明が適用されたディジタル衛星放送の受信システムにおけるＩＲＤの構成を示すブロック図である。
【図４】この発明が適用されたディジタル衛星放送の受信システムの説明に用いるブロック図である。
【図５】この発明が適用されたディジタル衛星放送の受信システムにおけるＩＲＤにおけるコントロールパネル表示の説明に用いる略線図である。
【図６】この発明が適用されたディジタル衛星放送の受信システムにおけるＩＲＤにおける設定表示の説明に用いる略線図である。
【図７】この発明が適用されたディジタル衛星放送の受信システムにおけるＩＲＤにおける設定表示の説明に用いる略線図である。
【図８】この発明が適用され
たディジタル衛星放送の受信システムにおける機器の登録の説明に用い
るフローチャートである。
【図９】この発明が適用されたディジタル衛星放送の受信システムにおける機器の登録の説明に用いるフローチャートである。
【図１０】この発明が適用されたディジタル衛星放送の受信システムにおける予約録画の説明に用いるフローチャートである。
【図１１】この発明が適用されたディジタル衛星放送の受信システムにおける予約録画の説明に用いる略線図である。
【図１２】この発明が適用されたディジタル衛星放送の受信システムにおける予約録画の説明に用いる略線図である。
【図１３】この発明が適用されたディジタル衛星放送  の受信システムにおける予約録画の説明に用いるフローチャートである
【符号の説明】
【００９８】
１・・・ＩＲＤ
３・・・パラボラアンテナ
６・・・テレビジョン受像機
１５Ａ、１５Ｂ、・・・ディジタル機器
４４・・・ＩＥＥＥ１３９４インターフェース
【図１】
0004356241.tif 000002
【図２】
0004356241.tif 000003
【図３】
0004356241.tif 000004
【図４】
0004356241.tif 000005
【図５】
0004356241.tif 000006
【図６Ａ】
0004356241.tif 000007
【図６Ｂ】
0004356241.tif 000008
【図７Ａ】
0004356241.tif 000009
【図７Ｂ】
0004356241.tif 000010
【図７Ｃ】
0004356241.tif 000011
【図８Ａ】
0004356241.tif 000012
【図８Ｂ】
0004356241.tif 000013
【図９】
0004356241.tif 000014
【図１０】
0004356241.tif 000015
【図１０Ａ】
0004356241.tif 000016
【図１０Ｂ】
0004356241.tif 000017
【図１１Ａ】
0004356241.tif 000018
【図１１Ｂ】
0004356241.tif 000019
【図１１Ｃ】
0004356241.tif 000020
【図１１Ｄ】
0004356241.tif 000021
【図１１Ｅ】
0004356241.tif 000022
【図１２Ａ】
0004356241.tif 000023
【図１２Ｂ】
0004356241.tif 000024
【図１２Ｃ】
0004356241.tif 000025
【図１２Ｄ】
0004356241.tif 000026
【図１３】
0004356241.tif 000027
【図１３Ａ】
0004356241.tif 000028
【図１３Ｂ】
0004356241.tif 000029
0004356241.tif 000030